(57)【要約】      （修正有）【課題】異種類のお茶又は出汁の抽出が可能で、茶漉しネット（袋）の洗浄時間と水の節約となる茶漉しネット（袋）の洗浄時間と水の節約となる茶漉し具を提供する。【解決手段】一本の金属線条体１を各種形状に折り曲げて鍔部１０と把持部２０を形成したフレームＦと、該フレームに着脱可能な軟質樹脂、紙又は不織布からなる茶漉しネットＮから構成されたことを特徴とする茶漉し具Ｔ。【選択図】図１
0003183404.tif 000002
【実用新案登録請求の範囲】
【請求項１】
一本の金属線条体（１）を各種形状に折り曲げて鍔部（１０）と把持部（２０）を形成したフレーム（Ｆ）と、該フレームに着脱可能な軟質樹脂、紙又は不織布からなる茶漉しネット（Ｎ）から構成されたことを特徴とする茶漉し具（Ｔ）。
【請求項２】
前記茶漉しネット（Ｎ）は巾着袋状に形成され、その上部開口部周縁（Ｎａ）には、前記鍔部（１０）への掛止手段（Ｎｂ）を設けていることを特徴とする請求項１に記載された茶漉し具（Ｔ）。
【請求項３】
前記掛止手段（Ｎｂ）が前記開口部周縁（Ｎａ）に取り付けられた伸縮性又は非伸縮性の紐状体（Ｂ）であることを特徴とする請求項１〜２の何れかに記載された茶漉し具（Ｔ）。
【請求項４】
前記掛止手段（Ｎｂ）が前記開口部周縁（Ｎａ）の近傍に形成された鍔部（１０）を掛止するための挿通穴（Ｈ）であることを特徴とする請求項１〜３の何れかに記載された茶漉し具（Ｔ）。
【考案の詳細な説明】
【技術分野】
【０００１】
本考案は、茶漉し具に関する。
【背景技術】
【０００２】
従来から最も一般的な茶漉し具は、図８に示すように金属製金網が鍔部に溶接又は接着剤等によって取り付けられ、鍔部の一端に別部材からなるフレームが延設され一体化されている。さらに特許文献１（第１頁、図1参照）や特許文献２（第１頁、図２参照）等が提案されている。これらはいずれもフレームに半球状の金網ないしは類似の袋状の濾し網が取り付けられたもので、使用に際しては金網ないしは濾し網に茶葉を投入しお湯を注いで抽出している。抽出後は茶葉を外に取り出して水道水で金網や濾し網をたわし等で洗浄し乾燥させている。
【０００３】
しかしながら、従来の茶漉し具や特許文献１及び特許文献２の茶漉し具は、鍔部（枠体）の直径が決まっているために湯呑みや急須との開口部の大きさに合うものを用意しなければならない。また使い捨てするには非経済的であり、茶濾し網と枠体が一体のものは、生ゴミとして出しにくいという不具合がある。また金網や濾し網は、洗浄に手間がかかるうえに水の使用量も増し、また金網や濾し網の網目に茶葉が付着したままになることがある。さらに金網や濾し網は、前回に使用した茶葉の残り香が付いてる場合もあり、異種類のお茶の抽出には不向きである。
【先行技術文献】
【特許文献】
【０００４】
【特許文献１】特開２００５−１４３６１４号公報
【特許文献２】実用新案登録第３１１６７７８号公報
【考案の概要】
【考案が解決しようとする課題】
【０００５】
本考案は、上記従来技術が有する不具合や欠点を解消するものであり、その課題は以下の通りである。
○本考案が解決しようとする第１課題
本考案が解決しようとする第１課題は、異種類のお茶又は出汁の抽出が可能で、茶漉しネット（袋）の洗浄時間と水の節約となる（袋）茶漉し具（Ｔ）を提供することである。
○本考案が解決しようとする第２課題
本考案が解決しようとする第２課題は、開口部の直径が異なる急須、湯呑み又はコップ等の各種飲料容器に簡単に着脱できる汎用性ある茶漉し具（Ｔ）を提供することである。
○本考案が解決しようとする第３課題
本考案が解決しようとする第３課題は、意匠性豊かで美麗なフレームによりお茶入れ等が楽しくかつ癒しとなる茶漉し具（Ｔ）を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○線条体とは、鉄、ステンレス等の金属を素材とし、直径１.０ｍｍ〜１.５ｍｍのワイヤーをいう。
〇鍔部とは茶漉しネット（袋）等を湯呑み、急須等の開口部の上周縁に固定し保持するための出っ張り部をいう。
〇把持部とは、フレームにおける鍔部の根元に延設される握り柄をいう。
○フレームとは、茶漉しネット（袋）又は出汁取りネット（袋）を係止し、湯呑み等の上周縁に固定する枠体をいう。
〇茶漉しネット（袋）とは、茶葉等を保持する袋体をいう。ナイロン、紙又は不織布等を素材とし、上部を開口すると共に上周縁近傍に鍔部の凸出部に掛止するための挿通穴、伸縮性又は非伸縮性の紐状体を備えるか又は上周縁を絞り加工している。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、一本の金属線条体（１）を各種形状に折り曲げて鍔部（１０）と把持部（２０）を形成したフレーム（Ｆ）と、該フレームに着脱可能な軟質樹脂、紙又は不織布からなる茶漉しネット（Ｎ）から構成されたことを特徴とする茶漉し具（Ｔ）である。
○第２の考案（請求項２に記載の考案）
上記の課題を解決するための第２の考案（請求項2に記載の考案）は、前記茶漉しネット（Ｎ）は巾着袋状に形成され、その上部開口部周縁（Ｎａ）には前記鍔部（１０）への掛止手段（Ｎｂ）を設けていることを特徴とする請求項１に記載された茶漉し具（Ｔ）である。
○第３の考案（請求項３に記載の考案）
上記の課題を解決するための第３の考案（請求項3に記載の考案）は、前記掛止手段（Ｎｂ）が前記開口部周縁（Ｎａ）に取り付けられた伸縮性又は非伸縮性の紐状体（Ｂ）であることを特徴とする請求項１〜２の何れかに記載された茶漉し具（Ｔ）である。
○第４の考案（請求項４に記載の考案）
上記の課題を解決するための第４の考案（請求項4に記載の考案）は、前記掛止手段（Ｎｂ）が前記開口部周縁（Ｎａ）の近傍に形成された鍔部（１０）を掛止するための挿通穴（Ｈ）であることを特徴とする請求項１〜３の何れかに記載された茶漉し具（Ｔ）である。
【考案の効果】
【０００７】
本考案に係る、茶漉し具（Ｔ）は、上記のような特徴的構成用件から構成され、特徴的構成要件に応じた、以下のような本願考案特有の効果を奏する。
また、上記の各考案に応じた、上記のような特徴的構成要件から構成された茶漉し具（Ｔ）によれば、本願考案の課題を十分解消することができた。
○第１の考案の効果
第１の考案によれば、一本の金属線条体（１）を各種形状に折り曲げて鍔部（１０）と把持部（２０）を形成したフレーム（Ｆ）と、該フレームに着脱可能な軟質樹脂、紙又は不織布からなる茶漉しネット（Ｎ）から構成されたことという特徴的な構成要件により、本考案が解決しようとする第１課題〜第３課題を達成することができ、当業者予測不可能な顕著な効果を奏することができた。
○第２の考案の効果
第２の考案によれば、前記茶漉しネット（Ｎ）は巾着袋状に形成され、その上部開口部周縁（Ｎａ）には前記鍔部（１０）への掛止手段（Ｎｂ）を設けていることという特徴的な構成要件により、本考案が解決しようとする第１課題〜第３課題を達成することができ、当業者予測不可能な顕著な効果を奏することができた。
○第３の考案の効果
第３の考案によれば、前記掛止手段（Ｎｂ）が前記開口部周縁（Ｎａ）に取り付けられた伸縮性又は非伸縮性の紐状体（Ｂ）であることという特徴的な構成要件により、本考案が解決しようとする第１課題〜第３課題を達成することができ、当業者予測不可能な顕著な効果を奏することができた。
○第４の考案の効果
第４の考案によれば、前記掛止手段（Ｎｂ）が前記開口部周縁（Ｎａ）の近傍に形成された鍔部（１０）を掛止するための挿通穴（Ｈ）であることという特徴的な構成要件により、本考案が解決しようとする第１課題〜第３課題を達成することができ、当業者予測不可能な顕著な効果を奏することができた。
【考案を実施するための形態】
【０００８】
以下、本考案に係る、茶漉し具（Ｔ）に関する最良の実施形態について、図面を参照しながら説明する。
図１は、本考案に係る、茶漉し具（Ｔ）の構成部材を示す斜視図である。
図２は、フレーム（Ｆ）を構成する金属線条体の折曲形状を示す実施例の平面図である。
図３は、茶漉しネット（袋）の他の実施形態を示す斜視図である。
図４は、同上茶漉しネット（袋）にフレーム（Ｆ）を取り付けた斜視図である。
図５は、本考案に係る、茶漉し具（Ｔ）の使用状態を示す平面図である。
図６は、同一部切欠正面図である。
図７は、金属線条体をハート形に形成した平面図である。
図８は、茶漉し具の従来例を示す斜視図である。
以下、本考案に係る、茶漉し具（Ｔ）について、図面を参照しながら説明する。
11111＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１は、本考案に係る、茶漉し具（Ｔ）の構成部材を示している。茶漉し具（Ｔ）は、フレーム（Ｆ）と、該フレーム（Ｆ）に着脱可能な軟質樹脂、紙又は不織布からなる茶漉しネット（Ｎ）から構成されている。フレーム（Ｆ）は、図２（イ）〜（ハ）に示すように一本の金属線条体（１）の左右両端部（１ａ，１ｂ）を除く部分に同じ又は異なる高さの半円状、角状又は各種形状の凸出部（１ｃ）を複数形成して鍔部（１０）とすると共に、前記左右両端部（１ａ，１ｂ）は交互に捻転又は直線状として把持部（２０）を形成する。金属線条体（１）は、鉄、ステンレス、真鍮、銅、アルミニウム、チタン又はタングステンからなる直径１.０ｍｍ〜１.５ｍｍのワイヤーを公知の折曲装置等により製作される。図２（イ）は、凸出部（１ｃ）の先端部（膨らみ）を半円状に形成したものであり、図２（ロ）は、凸出部（１ｃ）の先端部と基端部を三角形状に形成したものであり、図２（ハ）は、凸出部（１ｃ）の先端部と基端部を半円状に形成したものであり、図示しないが、先端部又は基端部を四角形や他の各種形状とすることができる。各凸出部（１ｃ）、（１ｃ）…は全体で鍔部を構成する。なお金属線条体（１）の素材のなかで、鉄材を用いて製作するときは、メッキ等の防錆加工して茶漉し等のフレーム（Ｆ）は形成される。
○第１の考案の効果・第１の考案によれば、一本の金属線条体（１）を各種形状に折り曲げて鍔部（１０）と把持部（２０）を形成したフレーム（Ｆ）と、該フレームに着脱可能な軟質樹脂、紙又は不織布からなる茶漉しネット（Ｎ）から構成されたことという特徴的な構成要件により、本考案が解決しようとする第１課題〜第３課題を達成することができ、当業者予測不可能な顕著な効果を奏することができた。
22222＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図１に示すように茶漉しネット（袋）Ｎは、巾着袋状に形成され、その上部開口部周縁（Ｎａ）には鍔部（１０）及び／又は凸出部（１ｃ）、（１ｃ）…への掛止手段（Ｎｂ）が設けられている。茶漉しネット（袋）Ｎの素材としては、軟質樹脂、紙又は不織布が好ましい。
○第２の考案の効果・第２の考案によれば、前記茶漉しネット（Ｎ）は巾着袋状に形成され、その上部開口部周縁（Ｎａ）には前記鍔部（１０）への掛止手段（Ｎｂ）を設けていることという特徴的な構成要件により、本考案が解決しようとする第１課題〜第３課題を達成することができ、当業者予測不可能な顕著な効果を奏することができた。
33333＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
掛止手段（Ｎｂ）としては、伸縮性又は非伸縮性の紐状体（Ｂ）を開口部周縁（Ｎａ）に取り付けることができる（図１、参照）。鍔部（１０）及び／又は凸出部（１ｃ）、（１ｃ）…は、茶葉ＴＦを湯呑みＹ等に入れる前に、該湯呑みＹ等の大きさ（開口部の直径）に合わせて、指先等で折り曲げられ、紐状体（Ｂ）に掛止するか、図５及び図６に示すように、湯呑みＹ等の上周縁に載置して使用される。
○第３の考案の効果・第３の考案によれば、前記掛止手段（Ｎｂ）が前記開口部周縁（Ｎａ）に取り付けられた伸縮性又は非伸縮性の紐状体（Ｂ）であることという特徴的な構成要件により、本考案が解決しようとする第１課題〜第３課題を達成することができ、当業者予測不可能な顕著な効果を奏することができた。
44444＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
掛止手段（Ｎｂ）の他の実施形態を図３及び図４に示している。茶漉しネット（Ｎ）の上周縁近傍には、等間隔に凸出部（１ｃ）、（１ｃ）…を掛止するための複数の挿通穴（Ｈ）、（Ｈ）…を形成し、茶葉ＴＦを湯呑みＹ等に入れる前に、該湯呑みＹ等の大きさ（開口部の直径）に合わせて、指先等で折り曲げられ、図４に示すように、各挿通穴（Ｈ）、（Ｈ）…に凸出部（１ｃ）、（１ｃ）…が掛止され、茶葉ＴＦが茶漉しネット（Ｎ）内に投入され、お湯が注がれ、湯呑みＹ内にお茶が抽出される。
○第４の考案の効果・第４の考案によれば、前記掛止手段（Ｎｂ）が前記開口部周縁（Ｎａ）の近傍に形成された鍔部（１０）を掛止するための挿通穴（Ｈ）であることという特徴的な構成要件により、本考案が解決しようとする第１課題〜第５課題を達成することができ、当業者予測不可能な顕著な効果を奏することができた。
55555＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
図７は、金属線条体（１）をハート形のフレーム（Ｆ）に形成したものである。図１に示すように、フレーム（Ｆ）は、鍔部（１０）を下向きに折り曲げる前の全体形状は円形としており、花ないしは花びらのイメージを想起させ、また図７に示すようにハート形としたり、星型又は各種幾何図形（図示しない）とすることができ、意匠性が豊かで美麗な形状のフレームにより、お茶入れが楽しく、かつ癒しともなる茶漉し具（Ｔ）を提供することができた。
【図面の簡単な説明】
【０００９】
【図１】本考案に係る、茶漉し具（Ｔ）の構成部材を示す斜視図である。
【図２】フレーム（Ｆ）を構成する金属線条体の折曲形状を示す実施例の平面図である。
【図３】茶漉しネット（袋）の他の実施形態を示す斜視図である。
【図４】同上茶漉しネット（袋）にフレーム（Ｆ）を取り付けた斜視図である。
【図５】本考案に係る、茶漉し具（Ｔ）の使用状態を示す平面図である。
【図６】同一部切欠正面図である。
【図７】金属線条体をハート形に形成した平面図である。
【図８】茶漉し具の従来例を示す斜視図である。
【符号の説明】
【００１０】
Ｔ……茶漉し具
Ｆ……フレーム
Ｎ……茶漉しネット（袋）
ＴＦ……茶葉
1……金属線条体
Ｎａ……上部開口部周縁
Ｎｂ……掛止手段
Ｂ……紐状体
Ｈ……挿通穴
１０……鍔部
２０……把持部
【図１】
0003183404.tif 000003
【図２】
0003183404.tif 000004
【図３】
0003183404.tif 000005
【図４】
0003183404.tif 000006
【図５】
0003183404.tif 000007
【図６】
0003183404.tif 000008
【図７】
0003183404.tif 000009
【図８】
0003183404.tif 000010